(57)【要約】【課題】精密な加工、および、精密な部品を用いることなく、低価格な立体写真を作成する。【解決手段】Ｖ字溝構造の左斜面にステレオペア画像の右目用画像を配し、右斜面に左目用画像を配する。【選択図】図１４
2007334274.tif 000002
【特許請求の範囲】
【請求項１】
両目に対して縦方向にＶ字溝が彫られた構造であって、Ｖ字溝の左斜面にステレオペア写真の右目用画像をＶ字溝開口部で正画像となるように台形変形のうえ配置し、Ｖ字溝の右斜面にステレオペア写真の左目用画像をＶ字溝開口部で正画像となるように台形変形のうえ配置する、Ｖ字溝開口部を覗くことで立体像を体験できる立体写真。
【請求項２】
両目に対して縦方向に逆Ｖ字形の凸部が連なる構造であって、凸部の左斜面にステレオペア写真の左目用画像を凸部底部で正画像となるように台形変形のうえ配置し、凸部の右斜面にステレオペア写真の右目用画像を凸部底部で正画像となるように台形変形のうえ配置する、凸部頂点を両目視線の中ほどに置くように覗くことで立体像を体験できる立体写真。
【請求項３】
両目に対して縦方向にＶ字溝が彫られ、それを横に複数並べた構造であって、それぞれのＶ字溝の左斜面はＶ字溝左端と左目を結ぶ延長線上に重なり、それぞれのＶ字溝の右斜面はＶ字溝右端と右目を結ぶ延長線上に重なるように形成される、それぞれのＶ字溝の左斜面にステレオペア写真の右目用画像断片をＶ字溝開口部で正画像となるように台形変形のうえ配置し、それぞれのＶ字溝の右斜面にステレオペア写真の左目用画像断片をＶ字溝開口部で正画像となるように台形変形のうえ配置する、Ｖ字溝形成時の視点から覗くことで立体像を体験できる立体写真。
【請求項４】
両目に対して縦方向に逆Ｖ字形の凸部が連なり、それを横に複数並べた構造であって、それぞれの凸部の左斜面は凸部頂点と右目を結ぶ延長線上に重なり、それぞれの凸部の右斜面は凸部頂点と左目を結ぶ延長線上に重なるように形成される、それぞれの凸部の左斜面にステレオペア写真の左目用画像断片を凸部底部で正画像となるように台形変形のうえ配置し、それぞれの凸部の右斜面にステレオペア写真の右目用画像断片を凸部底部で正画像となるように台形変形のうえ配置する、凸部形成時の視点から覗くことで立体像を体験できる立体写真。
【請求項５】
構造を構成する素材が光を透過するものであって、背面から光を取り入れられることを特徴とする、請求項１乃至４のいずれか１つに記載の立体写真。
【請求項６】
構造を構成する素材が、折り曲げができプリンターで印刷のできる板であり、折り曲げて構造を形成するさいに、構造を固定する部品もプリンターで印刷のできる板であることを特徴とする、請求項１乃至４のいずれか１つに記載の立体写真。
【請求項７】
構造を構成する素材が、折り曲げができプリンターで印刷のできる板であり、折り曲げて構造を形成するさいに、構造を固定する部品もプリンターで印刷のできる板であることを特徴とする、請求項５に記載の立体写真。
【請求項８】
冊子にページを開く角度を制限する構造を有することを特徴とし、ページを開いたときに形成されるＶ字溝に、請求項１に記載の発明を適用した立体写真。
【発明の詳細な説明】
【技術分野】
【０００１】  本発明は、視差のある２つの画像を、左右の目に分離表示する構造を持つ立体写真に関する。
【背景技術】
【０００２】  視差のある２つの画像を、左右の目に分離表示する構造は、レンチキュラーレンズ、および、パララックスバリアを用いたものが知られている。
【発明の開示】
【発明が解決しようとする課題】
【０００３】  しかしながら、レンチキュラーレンズ、および、パララックスバリアを用いた立体写真では、平面をステレオペア写真の右目用画像と、左目用画像を交互に分割配置するため、ＤＶＤケースなどの背表紙に使えるような小さなサイズの立体写真では十分な解像度を得ることが難しかった。
請求項１、および、請求項２記載の発明では、小さなサイズの立体写真で精細な解像度を得ることと、精密な加工、および、精密な部品を用いることなく、低価格な立体写真を作成することを課題とする。
請求項３、および、請求項４記載の発明では、比較的大きなサイズで、精密な加工、および、精密な部品を用いることなく、低価格な立体写真を作成することを課題とする。
請求項５記載の発明では、請求項１から請求項４まで記載の発明は、視線に斜めに画像を配するため立体像が暗くなり、明瞭な立体像を得られない欠点を克服するのを課題とする。
請求項６、および、請求項７記載の発明では、一般家庭にあるコンピュータとプリンターの構成で、材料も印刷用紙のみで立体写真を作成することを課題とする。
【課題を解決するための手段】
【０００４】  請求項１記載の発明は、第１図に於いて、左目左端視線（３）に重なるように右目用画像（７）を配置し、右目右端視線（６）に重なるように左目用画像（８）を配置する。
第３図に於いて、右目用画像（７）は、右目用元画像（１８）を、画像高さ（１６）を上底、画像Ｖ字溝底部高さ（１７）を下底、Ｖ字溝斜面長さ（２１）を高さとした台形に伸張することで作成される。
第４図に於いて、左目用画像（８）は、左目用元画像（１９）を、画像高さ（１６）を上底、画像Ｖ字溝底部高さ（１７）を下底、Ｖ字溝斜面長さ（２１）を高さとした台形に伸張することで作成される。
第２図に於いて、画像Ｖ字溝底部高さ（１７）は、画像上端視線（１４）とＶ字溝底部（１１）との交点と画像下端視線（１５）とＶ字溝底部（１１）との交点の線分の長さである。【０００５】  請求項２記載の発明は、第５図に於いて、左目右端視線（２３）に重なるように右目用画像（２７）を配置し、右目左端視線（２４）に重なるように左目用画像（２６）を配置する。
第７図に於いて、左目用画像（２６）は、左目用元画像（１９）を、画像高さ（１６）を下底、画像凸部稜高さ（３４）を上底、画像凸部斜面長さ（３５）を高さとした台形に伸張することで作成される。
第８図に於いて、右目用画像（２７）は、右目用元画像（１８）を、画像高さ（１６）を下底、画像凸部稜高さ（３４）を上底、画像凸部斜面長さ（３５）を高さとした台形に伸張することで作成される。
第６図に於いて、画像凸部稜高さ（３４）は、画像上端視線（３２）と凸部頂点（３０）との交点と画像下端視線（３３）と凸部頂点（３０）との交点の線分の長さである。【０００６】  請求項３記載の発明は、第９図に於いて、左目−Ｖ字溝１左端視線（３６）に重なるように右目用断片１画像（４２）を配置する。
左目−Ｖ字溝２左端視線（３７）に重なるように右目用断片２画像（４４）を配置する。
左目−Ｖ字溝３左端視線（３８）に重なるように右目用断片３画像（４６）を配置する。
右目−Ｖ字溝１右端視線（３９）に重なるように左目用断片１画像（４３）を配置する。
右目−Ｖ字溝２右端視線（４０）に重なるように左目用断片２画像（４５）を配置する。
右目−Ｖ字溝３右端視線（４１）に重なるように左目用断片３画像（４７）を配置する。
第１０図に於いて、右目用断片１画像（４２）は、右目用断片１元画像（５７）を、画像高さ（１６）を上底、画像Ｖ字溝底部長さ（１７）を下底、Ｖ字溝１左側斜面長さ（６０）を高さとした台形に伸張することで作成される。
左目用断片１画像（４３）は、左目用断片１元画像（５４）を、画像高さ（１６）を上底、画像Ｖ字溝底部長さ（１７）を下底、Ｖ字溝１右側斜面長さ（６１）を高さとした台形に伸張することで作成される。
右目用断片２画像（４４）は、右目用断片２元画像（５８）を、画像高さ（１６）を上底、画像Ｖ字溝底部長さ（１７）を下底、Ｖ字溝２左側斜面長さ（６２）を高さとした台形に伸張することで作成される。
左目用断片２画像（４５）は、左目用断片２元画像（５５）を、画像高さ（１６）を上底、画像Ｖ字溝底部長さ（１７）を下底、Ｖ字溝２右側斜面長さ（６３）を高さとした台形に伸張することで作成される。
右目用断片３画像（４６）は、右目用断片３元画像（５９）を、画像高さ（１６）を上底、画像Ｖ字溝底部長さ（１７）を下底、Ｖ字溝３左側斜面長さ（６４）を高さとした台形に伸張することで作成される。
左目用断片３画像（４７）は、左目用断片３元画像（５６）を、画像高さ（１６）を上底、画像Ｖ字溝底部長さ（１７）を下底、Ｖ字溝３右側斜面長さ（６５）を高さとした台形に伸張することで作成される。
第２図に於いて、画像Ｖ字溝底部高さ（１７）は、画像上端視線（１４）とＶ字溝底部（１１）との交点と画像下端視線（１５）とＶ字溝底部（１１）との交点の線分の長さである。【０００７】  請求項４記載の発明は、第１１図に於いて、左目−凸部１頂点視線（６６）に重なるように右目用断片１画像（７３）を配置する。
左目−凸部２頂点視線（６７）に重なるように右目用断片２画像（７５）を配置する。
左目−凸部３頂点視線（６８）に重なるように右目用断片３画像（７７）を配置する。
右目−凸部１頂点視線（６９）に重なるように左目用断片１画像（７２）を配置する。
右目−凸部２頂点視線（７０）に重なるように左目用断片２画像（７４）を配置する。
右目−凸部３頂点視線（７１）に重なるように左目用断片３画像（７６）を配置する。
第１２図に於いて、左目用断片１画像（７２）は、左目用断片１元画像（５４）を、画像高さ（１６）を下底、画像凸部稜高さ（３４）を上底、凸部１左側斜面長さ（８２）を高さとした台形に伸張することで作成される。
右目用断片１画像（７３）は、右目用断片１元画像（５７）を、画像高さ（１６）を下底、画像凸部稜高さ（３４）を上底、凸部１右側斜面長さ（８３）を高さとした台形に伸張することで作成される。
左目用断片２画像（７４）は、左目用断片２元画像（５５）を、画像高さ（１６）を下底、画像凸部稜高さ（３４）を上底、凸部２左側斜面長さ（８４）を高さとした台形に伸張することで作成される。
右目用断片２画像（７５）は、右目用断片２元画像（５８）を、画像高さ（１６）を下底、画像凸部稜高さ（３４）を上底、凸部２右側斜面長さ（８５）を高さとした台形に伸張することで作成される。
左目用断片３画像（７６）は、左目用断片３元画像（５６）を、画像高さ（１６）を下底、画像凸部稜高さ（３４）を上底、凸部３左側斜面長さ（８６）を高さとした台形に伸張することで作成される。
右目用断片３画像（７７）は、右目用断片３元画像（５９）を、画像高さ（１６）を下底、画像凸部稜高さ（３４）を上底、凸部３右側斜面長さ（８７）を高さとした台形に伸張することで作成される。
第６図に於いて、画像凸部稜高さ（３４）は、画像上端視線（３２）と凸部頂点（３０）との交点と画像下端視線（３３）と凸部頂点（３０）との交点の線分の長さである。
【発明の効果】
【０００８】  請求項１記載の発明は、第１図に於いて、Ｖ字溝左端（９）からＶ字溝右端（１０）のＶ字溝開口部を覗くことで、左目（１）には、左目用画像（８）がＶ字溝開口部に左目用元画像（１９）のように見え、右目（２）には、右目用画像（７）がＶ字溝開口部に右目用元画像（１８）のように見える。
左目用元画像（１９）と右目用元画像（１８）は、ステレオペア画像の視差のある画像なので閲覧者には立体像として認識される。【０００９】  請求項２記載の発明は、第５図に於いて、凸部左端（２８）から凸部右端（２９）の凸部底部を注視することで、左目（１）には、左目用画像（２６）が凸部底部に左目用元画像（１９）のように見え、右目（２）には、右目用画像（２７）が凸部底部に右目用元画像（１８）のように見える。
左目用元画像（１９）と右目用元画像（１８）は、ステレオペア画像の視差のある画像なので閲覧者には立体像として認識される。【００１０】  請求項３記載の発明は、第９図に於いて、Ｖ字溝１左端（８８）からＶ字溝１右端（８９）のＶ字溝１開口部では、左目（１）には、左目用断片１画像（４３）がＶ字溝１開口部に左目用断片１元画像（５４）のように見え、右目（２）には、右目用断片１画像（４２）がＶ字溝１開口部に右目用断片１元画像（５７）のように見える。
Ｖ字溝２左端（９０）からＶ字溝２右端（９１）のＶ字溝２開口部では、左目（１）には、左目用断片２画像（４５）がＶ字溝２開口部に左目用断片２元画像（５５）のように見え、右目（２）には、右目用断片２画像（４４）がＶ字溝２開口部に右目用断片２元画像（５８）のように見える。
Ｖ字溝３左端（９２）からＶ字溝３右端（９３）のＶ字溝３開口部では、左目（１）には、左目用断片３画像（４７）がＶ字溝３開口部に左目用断片３元画像（５６）のように見え、右目（２）には、右目用断片３画像（４６）がＶ字溝３開口部に右目用断片３元画像（５９）のように見える。
左目用断片１元画像（５４）、左目用断片２元画像（５５）、および、左目用断片３元画像（５６）が合わさった左目用元画像（５２）と、右目用断片１元画像（５７）、右目用断片２元画像（５８）、および、右目用断片３元画像（５９）が合わさった右目用元画像（５３）は、ステレオペア画像の視差のある画像なので閲覧者には立体像として認識される。【００１１】  請求項４記載の発明は、第１１図に於いて、凸部１左端（９４）から凸部１右端（９５）の凸部１底部では、左目（１）には、左目用断片１画像（７２）が凸部１底部に左目用断片１元画像（５４）のように見え、右目（２）には、右目用断片１画像（７３）が凸部１底部に右目用断片１元画像（５７）のように見える。
凸部２左端（９６）から凸部２右端（９７）の凸部２底部では、左目（１）には、左目用断片２画像（７４）が凸部２底部に左目用断片２元画像（５５）のように見え、右目（２）には、右目用断片２画像（７５）が凸部２底部に右目用断片２元画像（５８）のように見える。
凸部３左端（９８）から凸部３右端（９９）の凸部３底部では、左目（１）には、左目用断片３画像（７６）が凸部３底部に左目用断片３元画像（５６）のように見え、右目（２）には、右目用断片３画像（７７）が凸部３底部に右目用断片３元画像（５９）のように見える。
左目用断片１元画像（５４）、左目用断片２元画像（５５）、および、左目用断片３元画像（５６）が合わさった左目用元画像（５２）と、右目用断片１元画像（５７）、右目用断片２元画像（５８）、および、右目用断片３元画像（５９）が合わさった右目用元画像（５３）は、ステレオペア画像の視差のある画像なので閲覧者には立体像として認識される。
【発明を実施するための最良の形態】
【００１２】  第１３図は、請求項６および請求項７記載の実施形態を表しており、第１０図記載の右目用断片１画像（４２）から左目用断片３画像（４７）までをまとめて印刷した画像シート（１０１）の点線を山折、一点鎖点を谷折にし、支持部品（１００）に挟み込み接着剤で固定する。
画像シート（１０１）、支持部品（１００）は、一般家庭にあるコンピュータとプリンターの構成で、ステレオペア画像を用意すれば、印刷し、カッターなどで切り離して作成する。
コンピュータで実行されるソフトウェアとして実現し、特別な部品を用いず、精密な加工も必要なく、高品質な立体写真が作成できる。
画像シート（１０１）の印刷に使う印刷用紙に、０．１ｍｍ程度の厚さの薄いものを用いることで、蛍光灯などの光源にかざして見ることで、請求項５記載の発明の効果である明るく鮮やかな立体像が浮かび上がる。【００１３】  第１４図は、請求項１記載の発明をＤＶＤケースの背表紙に適用した実施形態を表しており、第１図で説明したＶ字溝構造（１０４）をＤＶＤケース（１０２）の背表紙上端に設け、さらに、天窓（１０３）を設けることで明るく鮮やかな立体像が浮かび上がる。
ＤＶＤケースの背表紙の幅は、１２ｍｍ程度であり、このような小さなサイズであっても、良好な立体写真を実現できる。【００１４】  第１５図は、請求項８記載の発明の実施形態を表しており、冊子（１０５）にページを開く角度を制限する帯（１０６）を設ける。
ページを開いて形成されるＶ字溝構造に請求項１記載の発明を適用する。
閲覧方向（１０７）から覗くことで、立体像が浮かび上がる。
【図面の簡単な説明】
【００１５】
【図１】本発明の請求項１の平面図である。
【図２】本発明の請求項１の側面図である。
【図３】本発明の請求項１の右目用画像を作成する説明図である。
【図４】本発明の請求項１の左目用画像を作成する説明図である。
【図５】本発明の請求項２の平面図である。
【図６】本発明の請求項２の側面図である。
【図７】本発明の請求項２の左目用画像を作成する説明図である。
【図８】本発明の請求項２の右目用画像を作成する説明図である。
【図９】本発明の請求項３の平面図である。
【図１０】本発明の請求項３の画像を作成する説明図である。
【図１１】本発明の請求項４の平面図である。
【図１２】本発明の請求項４の画像を作成する説明図である。
【図１３】本発明の請求項６、および、請求項７の模式図である。
【図１４】本発明の請求項１の発明を、ＤＶＤケース背表紙に適用した図である。
【図１５】本発明の請求項８の模式図である。
【符号の説明】
【００１６】    １  左目                          ２  右目
３  左目左端視線                  ４  左目右端視線
５  右目左端視線                  ６  右目右端視線
７  右目用画像                    ８  左目用画像
９  Ｖ字溝左端                  １０  Ｖ字溝右端
１１  Ｖ字溝底部                  １２  パネル
１３  目                          １４  画像上端視線
１５  画像下端視線                １６  画像高さ
１７  画像Ｖ字溝底部高さ          １８  右目用元画像
１９  左目用元画像                ２０  画像幅
２１  Ｖ字溝斜面長さ              ２２  左目左端視線
２３  左目右端視線                ２４  右目左端視線
２５  右目右端視線                ２６  左目用画像
２７  右目用画像                  ２８  凸部左端
２９  凸部右端                    ３０  凸部頂点
３１  パネル                      ３２  画像上端視線
３３  画像下端視線                ３４  画像凸部稜高さ
３５  画像凸部斜面長さ            ３６  左目−Ｖ字溝１左端視線
３７  左目−Ｖ字溝２左端視線      ３８  左目−Ｖ字溝３左端視線
３９  右目−Ｖ字溝１右端視線      ４０  右目−Ｖ字溝２右端視線
４１  右目−Ｖ字溝３右端視線      ４２  右目用断片１画像
４３  左目用断片１画像            ４４  右目用断片２画像
４５  左目用断片２画像            ４６  右目用断片３画像
４７  左目用断片３画像            ４８  パネル
４９  Ｖ字溝１底部                ５０  Ｖ字溝２底部
５１  Ｖ字溝３底部                ５２  左目用元画像
５３  右目用元画像                ５４  左目用断片１元画像
５５  左目用断片２元画像          ５６  左目用断片３元画像
５７  右目用断片１元画像          ５８  右目用断片２元画像
５９  右目用断片３元画像          ６０  Ｖ字溝１左側斜面長さ
６１  Ｖ字溝１右側斜面長さ        ６２  Ｖ字溝２左側斜面長さ
６３  Ｖ字溝２右側斜面長さ        ６４  Ｖ字溝３左側斜面長さ
６５  Ｖ字溝３右側斜面長さ        ６６  左目−凸部１頂点視線
６７  左目−凸部２頂点視線        ６８  左目−凸部３頂点視線
６９  右目−凸部１頂点視線        ７０  右目−凸部２頂点視線
７１  右目−凸部３頂点視線        ７２  左目用断片１画像
７３  右目用断片１画像            ７４  左目用断片２画像
７５  右目用断片２画像            ７６  左目用断片３画像
７７  右目用断片３画像            ７８  パネル
７９  凸部１頂点                  ８０  凸部２頂点
８１  凸部３頂点                  ８２  凸部１左側斜面長さ
８３  凸部１右側斜面長さ          ８４  凸部２左側斜面長さ
８５  凸部２右側斜面長さ          ８６  凸部３左側斜面長さ
８７  凸部３右側斜面長さ          ８８  Ｖ字溝１左端
８９  Ｖ字溝１右端                ９０  Ｖ字溝２左端
９１  Ｖ字溝２右端                ９２  Ｖ字溝３左端
９３  Ｖ字溝３右端                ９４  凸部１左端
９５  凸部１右端                  ９６  凸部２左端
９７  凸部２右端                  ９８  凸部３左端
９９  凸部３右端                １００  支持部品
１０１  画像シート                １０２  ＤＶＤケース
１０３  天窓                      １０４  Ｖ字溝構造
１０５  冊子                      １０６  帯
１０７  閲覧方向
【図１】
2007334274.tif 000003
【図２】
2007334274.tif 000004
【図３】
2007334274.tif 000005
【図４】
2007334274.tif 000006
【図５】
2007334274.tif 000007
【図６】
2007334274.tif 000008
【図７】
2007334274.tif 000009
【図８】
2007334274.tif 000010
【図９】
2007334274.tif 000011
【図１０】
2007334274.tif 000012
【図１１】
2007334274.tif 000013
【図１２】
2007334274.tif 000014
【図１３】
2007334274.tif 000015
【図１４】
2007334274.tif 000016
【図１５】
2007334274.tif 000017